(57)【要約】【課題】ペア端末を複数のビームフォーミング対象端末の中から適切に選出可能にする。【解決手段】通信制御方法は、ＵＥ１００−１（ヌルステアリング対象端末）が、導出能力通知情報をｅＮＢ２００−１に送信するステップと、ＵＥ１００−１が、ｅＮＢ２００−２からＵＥ１００−２（ビームフォーミング対象端末）への送信においてＵＥ１００−１にヌルを向けるためのヌルステアリング制御情報（ＢＣＩ）を、ｅＮＢ２００−１にフィードバックするステップと、を含む。導出能力通知情報は、ＵＥ１００−１がヌルステアリング制御情報を導出する能力に関する情報である。【選択図】図８
2015012399.tif 000002
【特許請求の範囲】
【請求項１】
下りリンク・マルチアンテナ伝送により無線アクセスネットワークからユーザ端末への送信を行う移動通信システムにおいて用いられる通信制御方法であって、
前記ユーザ端末が、導出能力通知情報を前記無線アクセスネットワークに送信するステップと、
前記ユーザ端末が、前記無線アクセスネットワークから他のユーザ端末への送信において前記ユーザ端末にヌルを向けるためのヌルステアリング制御情報を、前記無線アクセスネットワークにフィードバックするステップと、を含み、
前記導出能力通知情報は、前記ユーザ端末が前記ヌルステアリング制御情報を導出する能力に関する情報であることを特徴とする通信制御方法。
【請求項２】
前記無線アクセスネットワークが、前記導出能力通知情報に基づいて、前記ヌルステアリング制御情報の導出方法を指定するための導出方法設定情報を前記ユーザ端末に送信するステップをさらに含み、
前記ヌルステアリング制御情報をフィードバックするステップにおいて、前記ユーザ端末は、前記導出方法設定情報に従って前記ヌルステアリング制御情報を前記無線アクセスネットワークにフィードバックすることを特徴とする請求項１に記載の通信制御方法。
【請求項３】
前記ユーザ端末が、前記導出能力通知情報の送信要求を前記無線アクセスネットワークから受信するステップをさらに含み、
前記導出能力通知情報を送信するステップにおいて、前記ユーザ端末は、前記無線アクセスネットワークから前記送信要求を受信したことに応じて、前記導出能力通知情報を前記第１の基地局に送信することを特徴とする請求項１又は２に記載の通信制御方法。
【請求項４】
前記無線アクセスネットワークは、
前記ユーザ端末のサービングセルを管理する第１の基地局と、
前記他のユーザ端末のサービングセルを管理する第２の基地局と、
を含み、
前記導出能力通知情報を送信するステップにおいて、前記ユーザ端末は、前記導出能力通知情報を前記第１の基地局に送信し、
前記通信制御方法は、前記第１の基地局が、前記ユーザ端末における前記ヌルステアリング制御情報の導出方法に関する導出方法通知情報を前記第２の基地局に送信するステップをさらに含むことを特徴とする請求項１乃至３の何れか一項に記載の通信制御方法。
【請求項５】
前記第１の基地局が、前記導出方法通知情報の送信要求を前記第２の基地局から受信するステップをさらに含み、
前記導出方法通知情報を送信するステップにおいて、前記第１の基地局は、前記第２の基地局から前記送信要求を受信したことに応じて、前記導出方法通知情報を前記第２の基地局に送信することを特徴とする請求項４に記載の通信制御方法。
【請求項６】
前記第２の基地局が、前記他のユーザ端末からフィードバックされるビームフォーミング制御情報と、前記ユーザ端末からフィードバックされる前記ヌルステアリング制御情報と、に基づいて、前記ユーザ端末とペアをなすペア端末を前記他のユーザ端末の中から選出するステップをさらに含み、
前記ペア端末を選出するステップにおいて、前記第２の基地局は、前記ヌルステアリング制御情報と合致する前記ビームフォーミング制御情報をフィードバックする前記他のユーザ端末を前記ペア端末として選出し、
前記ペア端末を選出するステップにおいて、前記第２の基地局は、前記ヌルステアリング制御情報と合致する前記ビームフォーミング制御情報をフィードバックする前記他のユーザ端末が存在しない場合には、前記導出方法通知情報に基づいて代わりのヌルステアリング制御情報を推定し、推定したヌルステアリング制御情報と合致する前記ビームフォーミング制御情報をフィードバックする前記他のユーザ端末を前記ペア端末として選出することを特徴とする請求項４又は５に記載の通信制御方法。
【請求項７】
下りリンク・マルチアンテナ伝送により無線アクセスネットワークからの送信を行う移動通信システムにおいて用いられるユーザ端末であって、
導出能力通知情報を前記無線アクセスネットワークに送信する制御部を備え、
前記制御部は、前記無線アクセスネットワークから他のユーザ端末への送信において前記ユーザ端末にヌルを向けるためのヌルステアリング制御情報を前記無線アクセスネットワークにフィードバックし、
前記導出能力通知情報は、前記ユーザ端末が前記ヌルステアリング制御情報を導出する能力に関する情報であることを特徴とするユーザ端末。
【請求項８】
下りリンク・マルチアンテナ伝送により無線アクセスネットワークからユーザ端末への送信を行う移動通信システムにおいて用いられる基地局であって、
導出能力通知情報をユーザ端末から受信する受信部を備え、
前記受信部は、前記無線アクセスネットワークから他のユーザ端末への送信において前記ユーザ端末にヌルを向けるためのヌルステアリング制御情報を前記ユーザ端末からさらに受信し、
前記導出能力通知情報は、前記ユーザ端末が前記ヌルステアリング制御情報を導出する能力に関する情報であることを特徴とする基地局。
【発明の詳細な説明】
【技術分野】
【０００１】
本発明は、下りリンク・マルチアンテナ伝送をサポートする移動通信システムにおいて用いられる通信制御方法、ユーザ端末、及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムは、下りリンク・マルチアンテナ伝送をサポートする（非特許文献１参照）。例えば、無線アクセスネットワークに含まれる基地局は、一のユーザ端末に対してビームを向けるビームフォーミングを行いつつ、他のユーザ端末に対してヌルを向けるヌルステアリングを行う。これにより、干渉を抑圧しながら、無線リソースの利用効率を向上させることができる。
【０００３】
下りリンク・マルチアンテナ伝送の一形態として、ＣＢ（Ｃｏｏｒｄｉｎａｔｅｄ  Ｂｅａｍｆｏｒｍｉｎｇ）−ＣｏＭＰ（Ｃｏｏｒｄｉｎａｔｅｄ  Ｍｕｌｔｉ  Ｐｏｉｎｔ）がある。ＣＢ−ＣｏＭＰにおいて、セルを管理する基地局は、自セルと接続する複数のビームフォーミング対象端末のそれぞれからフィードバックされるビームフォーミング制御情報と、隣接セルと接続するヌルステアリング対象端末からフィードバックされるヌルステアリング制御情報と、を受信する。
【０００４】
そして、基地局は、ヌルステアリング制御情報と合致するビームフォーミング制御情報をフィードバックするビームフォーミング対象端末を、ヌルステアリング対象端末とペアをなすペア端末として選出する。また、基地局は、ヌルステアリング対象端末に割り当てられる無線リソースと同一の無線リソースをペア端末に割り当てる。
【先行技術文献】
【非特許文献】
【０００５】
【非特許文献１】３ＧＰＰ技術仕様書  「ＴＳ３６．３００  Ｖ１１．５．０」  ２０１３年３月
【発明の概要】
【発明が解決しようとする課題】
【０００６】
しかしながら、基地局は、ヌルステアリング制御情報と合致するビームフォーミング制御情報をフィードバックするビームフォーミング対象端末が存在しない場合には、適切なペア端末を選出できない。
【０００７】
この場合、基地局が、フィードバックされるヌルステアリング制御情報を基に、代わりのヌルステアリング制御情報を推定し、推定したヌルステアリング制御情報と合致するビームフォーミング制御情報をフィードバックするビームフォーミング対象端末をペア端末として選出することが考えられる。
【０００８】
しかしながら、基となるヌルステアリング制御情報がどのような方法で導出されているのかが分からないと、代わりのヌルステアリング制御情報を推定する際に、誤った推定を行う危険性がある。従って、ペア端末を複数のビームフォーミング対象端末の中から適切に選出することが難しいという問題があった。
【０００９】
そこで、本発明は、ペア端末を複数のビームフォーミング対象端末の中から適切に選出可能にする通信制御方法、ユーザ端末、及び基地局を提供することを目的とする。
【課題を解決するための手段】
【００１０】
第１の特徴に係る通信制御方法は、下りリンク・マルチアンテナ伝送により無線アクセスネットワークからユーザ端末への送信を行う移動通信システムにおいて用いられる。前記通信制御方法は、前記ユーザ端末が、導出能力通知情報を前記無線アクセスネットワークに送信するステップと、前記ユーザ端末が、前記無線アクセスネットワークから他のユーザ端末への送信において前記ユーザ端末にヌルを向けるためのヌルステアリング制御情報を、前記無線アクセスネットワークにフィードバックするステップと、を含む。前記導出能力通知情報は、前記ユーザ端末が前記ヌルステアリング制御情報を導出する能力に関する情報である。
【００１１】
第２の特徴に係るユーザ端末は、下りリンク・マルチアンテナ伝送により無線アクセスネットワークからの送信を行う移動通信システムにおいて用いられる。前記ユーザ端末は、導出能力通知情報を前記無線アクセスネットワークに送信する制御部を備える。前記制御部は、前記無線アクセスネットワークから他のユーザ端末への送信において前記ユーザ端末にヌルを向けるためのヌルステアリング制御情報を前記無線アクセスネットワークにフィードバックする。前記導出能力通知情報は、前記ユーザ端末が前記ヌルステアリング制御情報を導出する能力に関する情報である。
【００１２】
第３の特徴に係る基地局は、下りリンク・マルチアンテナ伝送により無線アクセスネットワークからユーザ端末への送信を行う移動通信システムにおいて用いられる。前記基地局は、導出能力通知情報をユーザ端末から受信する受信部を備える。前記受信部は、前記無線アクセスネットワークから他のユーザ端末への送信において前記ユーザ端末にヌルを向けるためのヌルステアリング制御情報を前記ユーザ端末からさらに受信する。前記導出能力通知情報は、前記ユーザ端末が前記ヌルステアリング制御情報を導出する能力に関する情報である。
【発明の効果】
【００１３】
本発明によれば、ペア端末を複数のビームフォーミング対象端末の中から適切に選出可能にする通信制御方法、ユーザ端末、及び基地局を提供できる。
【図面の簡単な説明】
【００１４】
【図１】実施形態に係るＬＴＥシステムの構成図である。
【図２】実施形態に係るＵＥのブロック図である。
【図３】実施形態に係るｅＮＢのブロック図である。
【図４】実施形態に係る無線インターフェイスのプロトコルスタック図である。
【図５】実施形態に係る無線フレームの構成図である。
【図６】実施形態に係るＣＢ−ＣｏＭＰを説明するための図である。
【図７】実施形態に係るＣＢ−ＣｏＭＰを説明するための図である。
【図８】実施形態に係る通信制御方法を説明するための図である。
【図９】実施形態に係る動作パターン１のシーケンス図である。
【図１０】実施形態に係る動作パターン２のシーケンス図である。
【図１１】実施形態に係る動作パターン２におけるｅＮＢの動作フロー図である。
【図１２】実施形態の変更例に係るＭＵ−ＭＩＭＯを説明するための図である。
【図１３】実施形態の変更例に係るＭＵ−ＭＩＭＯを説明するための図である。
【発明を実施するための形態】
【００１５】
［実施形態の概要］
実施形態に係る通信制御方法は、下りリンク・マルチアンテナ伝送により無線アクセスネットワークからユーザ端末への送信を行う移動通信システムにおいて用いられる。前記通信制御方法は、前記ユーザ端末が、導出能力通知情報を前記無線アクセスネットワークに送信するステップと、前記ユーザ端末が、前記無線アクセスネットワークから他のユーザ端末への送信において前記ユーザ端末にヌルを向けるためのヌルステアリング制御情報を、前記無線アクセスネットワークにフィードバックするステップと、を含む。前記導出能力通知情報は、前記ユーザ端末が前記ヌルステアリング制御情報を導出する能力に関する情報である。
【００１６】
実施形態では、前記通信制御方法は、前記無線アクセスネットワークが、前記導出能力通知情報に基づいて、前記ヌルステアリング制御情報の導出方法を指定するための導出方法設定情報を前記ユーザ端末に送信するステップをさらに含む。前記ヌルステアリング制御情報をフィードバックするステップにおいて、前記ユーザ端末は、前記導出方法設定情報に従って前記ヌルステアリング制御情報を前記無線アクセスネットワークにフィードバックする。
【００１７】
実施形態では、前記通信制御方法は、前記ユーザ端末が、前記導出能力通知情報の送信要求を前記無線アクセスネットワークから受信するステップをさらに含む。前記導出能力通知情報を送信するステップにおいて、前記ユーザ端末は、前記無線アクセスネットワークから前記送信要求を受信したことに応じて、前記導出能力通知情報を前記第１の基地局に送信する。
【００１８】
実施形態では、前記無線アクセスネットワークは、前記ユーザ端末のサービングセルを管理する第１の基地局と、前記他のユーザ端末のサービングセルを管理する第２の基地局と、を含む。前記導出能力通知情報を送信するステップにおいて、前記ユーザ端末は、前記導出能力通知情報を前記第１の基地局に送信する。前記通信制御方法は、前記第１の基地局が、前記ユーザ端末における前記ヌルステアリング制御情報の導出方法に関する導出方法通知情報を前記第２の基地局に送信するステップをさらに含む。
【００１９】
実施形態では、前記通信制御方法は、前記第１の基地局が、前記導出方法通知情報の送信要求を前記第２の基地局から受信するステップをさらに含む。前記導出方法通知情報を送信するステップにおいて、前記第１の基地局は、前記第２の基地局から前記送信要求を受信したことに応じて、前記導出方法通知情報を前記第２の基地局に送信する。
【００２０】
実施形態では、前記通信制御方法は、前記第２の基地局が、前記他のユーザ端末からフィードバックされるビームフォーミング制御情報と、前記ユーザ端末からフィードバックされる前記ヌルステアリング制御情報と、に基づいて、前記ユーザ端末とペアをなすペア端末を前記他のユーザ端末の中から選出するステップをさらに含む。前記ペア端末を選出するステップにおいて、前記第２の基地局は、前記ヌルステアリング制御情報と合致する前記ビームフォーミング制御情報をフィードバックする前記他のユーザ端末を前記ペア端末として選出する。前記ペア端末を選出するステップにおいて、前記第２の基地局は、前記ヌルステアリング制御情報と合致する前記ビームフォーミング制御情報をフィードバックする前記他のユーザ端末が存在しない場合には、前記導出方法通知情報に基づいて代わりのヌルステアリング制御情報を推定し、推定したヌルステアリング制御情報と合致する前記ビームフォーミング制御情報をフィードバックする前記他のユーザ端末を前記ペア端末として選出する。
【００２１】
実施形態に係るユーザ端末は、下りリンク・マルチアンテナ伝送により無線アクセスネットワークからの送信を行う移動通信システムにおいて用いられる。前記ユーザ端末は、導出能力通知情報を前記無線アクセスネットワークに送信する制御部を備える。前記制御部は、前記無線アクセスネットワークから他のユーザ端末への送信において前記ユーザ端末にヌルを向けるためのヌルステアリング制御情報を前記無線アクセスネットワークにフィードバックする。前記導出能力通知情報は、前記ユーザ端末が前記ヌルステアリング制御情報を導出する能力に関する情報である。
【００２２】
実施形態に係る基地局は、下りリンク・マルチアンテナ伝送により無線アクセスネットワークからユーザ端末への送信を行う移動通信システムにおいて用いられる。前記基地局は、導出能力通知情報をユーザ端末から受信する受信部を備える。前記受信部は、前記無線アクセスネットワークから他のユーザ端末への送信において前記ユーザ端末にヌルを向けるためのヌルステアリング制御情報を前記ユーザ端末からさらに受信する。前記導出能力通知情報は、前記ユーザ端末が前記ヌルステアリング制御情報を導出する能力に関する情報である。
【００２３】
［実施形態］
以下において、本発明をＬＴＥシステムに適用する場合の実施形態を説明する。
【００２４】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２５】
ＵＥ１００は、ユーザ端末に相当する。ＵＥ１００は、移動型の通信装置であり、接続先のセル（サービングセル）との無線通信を行う。ＵＥ１００の構成については後述する。
【００２６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２７】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２８】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３０】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００３１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３２】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３３】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００３４】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３６】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３７】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ｅＮＢ２００の物理層は、プリコーダ行列（送信アンテナウェイト）及びランク（信号系列数）を適用して下りリンク・マルチアンテナ伝送を行う。実施形態に係る下りリンク・マルチアンテナ伝送の詳細については後述する。ＵＥ１００の物理層とｅＮＢ２００の物理層との間では、物理チャネルを介してユーザデータ及び制御信号が伝送される。
【００３９】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４１】
ＰＤＣＰ層は、ヘッダ圧縮・伸張、及び暗号化・復号化を行う。
【００４２】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４５】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００４６】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００４７】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００４８】
（ＣＢ−ＣｏＭＰ）
実施形態に係るＬＴＥシステムは、下りリンク・マルチアンテナ伝送の一形態であるＣＢ−ＣｏＭＰをサポートする。ＣＢ−ＣｏＭＰでは、複数のｅＮＢ２００が協調してビームフォーミング及びヌルステアリングを行う。
【００４９】
図６及び図７は、ＣＢ−ＣｏＭＰを説明するための図である。図６に示すように、ｅＮＢ２００−１及びｅＮＢ２００−２は、互いに隣接するセルを管理する。また、ｅＮＢ２００−１のセル及びｅＮＢ２００−２のセルは、同一の周波数に属する。
【００５０】
ＵＥ１００−１は、ｅＮＢ２００−１のセルとの接続を確立した状態（接続状態）である。すなわち、ＵＥ１００−１は、ｅＮＢ２００−１のセルをサービングセルとして通信を行う。
【００５１】
これに対し、ＵＥ１００−２は、ｅＮＢ２００−２のセルとの接続を確立した状態（接続状態）である。すなわち、ＵＥ１００−２は、ｅＮＢ２００−２のセルをサービングセルとして通信を行う。図６では、ｅＮＢ２００−２のセルとの接続を確立するＵＥ１００−２を１つのみ図示しているが、実環境では、複数のＵＥ１００−２がｅＮＢ２００−２のセルとの接続を確立している。
【００５２】
ＵＥ１００−１は、ｅＮＢ２００−１のセル及びｅＮＢ２００−２のセルの境界領域に位置する。この場合、ＵＥ１００−１は、ｅＮＢ２００−２のセルからの干渉の影響を受ける。ＵＥ１００−１に対してＣＢ−ＣｏＭＰを適用することにより、ＵＥ１００−１が受ける干渉を抑圧できる。
【００５３】
以下において、ＵＥ１００−１に対してＣＢ−ＣｏＭＰを適用する場合のＣＢ−ＣｏＭＰの通信手順について説明する。尚、ＣＢ−ＣｏＭＰが適用されるＵＥ１００−１は、「ＣｏＭＰ  ＵＥ」と称されることがある。すなわち、ＵＥ１００−１は、ヌルステアリング対象端末に相当する。ＵＥ１００−１（ＣｏＭＰ  ＵＥ）のサービングセルは、「アンカーセル」と称されることがある。
【００５４】
ＵＥ１００−１及びＵＥ１００−２のそれぞれは、サービングセルから受信する参照信号などに基づいて、自身に対してビームを向けるためのビームフォーミング制御情報をサービングセルにフィードバックする。実施形態では、ビームフォーミング制御情報は、プリコーダ行列インジケータ（ＰＭＩ）及びランクインジケータ（ＲＩ）を含む。ＰＭＩは、サービングセルに推奨されるプリコーダ行列（送信アンテナウェイト）を示すインジケータである。ＲＩは、サービングセルに推奨されるランク（信号系列数）を示すインジケータである。ＵＥ１００−１及びＵＥ１００−２のそれぞれは、プリコーダ行列及びインジケータを関連付けたテーブル（コードブック）を保持しており、所望波の通信品質が向上するプリコーダ行列を選択し、選択したプリコーダ行列に対応するインジケータをＰＭＩとしてフィードバックする。
【００５５】
ＵＥ１００−１は、さらに、隣接セルから受信する参照信号などに基づいて、自身に対してヌルを向けるためのヌルステアリング制御情報をサービングセルにフィードバックする。実施形態では、ヌルステアリング制御情報は、ＢＣＩ（Ｂｅｓｔ  Ｃｏｍｐａｎｉｏｎ  ＰＭＩ）及びＲＩを含む。ＢＣＩは、隣接セルに推奨されるプリコーダ行列（送信アンテナウェイト）を示すインジケータである。ＵＥ１００−１は、プリコーダ行列及びインジケータを関連付けたテーブル（コードブック）を保持しており、干渉波の受信レベルが低減する、或いは所望波への影響が低減するプリコーダ行列を選択し、選択したプリコーダ行列に対応するインジケータをＢＣＩとしてフィードバックする。
【００５６】
ｅＮＢ２００−１は、ＵＥ１００−１からフィードバックされるヌルステアリング制御情報（ＢＣＩ、ＲＩ）をｅＮＢ２００−２に転送する。
【００５７】
ｅＮＢ２００−２は、自セルと接続する複数のＵＥ１００−２のそれぞれからフィードバックされるビームフォーミング制御情報（ＰＭＩ、ＲＩ）と、隣接セルと接続するＵＥ１００−１からフィードバックされるヌルステアリング制御情報（ＢＣＩ、ＲＩ）と、を受信する。そして、ｅＮＢ２００−２は、ヌルステアリング制御情報と合致するビームフォーミング制御情報をフィードバックするＵＥ１００−２を、ＵＥ１００−１とペアをなすペアＵＥ（ペア端末）として選出する。実施形態では、「ヌルステアリング制御情報と合致するビームフォーミング制御情報」とは、ヌルステアリング制御情報に含まれるＢＣＩ及びＲＩの組み合わせと一致するＰＭＩ及びＲＩの組み合わせを含むビームフォーミング制御情報である。
【００５８】
ｅＮＢ２００−２は、ペアＵＥ（ＵＥ１００−２）を選出すると、ＵＥ１００−１に割り当てられる無線リソースと同一の無線リソースをペアＵＥに割り当てる。そして、ｅＮＢ２００−２は、ペアＵＥからフィードバックされたビームフォーミング制御情報（ＰＭＩ、ＲＩ）を適用してペアＵＥへの送信を行う。その結果、図７に示すように、ｅＮＢ２００−２は、ペアＵＥに対してビームを向けつつ、ＵＥ１００−１にヌルを向けて、ペアＵＥへの送信を行うことができる。
【００５９】
（実施形態に係る動作）
（１）動作概要
上述したように、ｅＮＢ２００−２は、ＵＥ１００−１からフィードバックされるヌルステアリング制御情報（ＢＣＩ、ＲＩ）と合致するビームフォーミング制御情報（ＰＭＩ、ＲＩ）をフィードバックするＵＥ１００−２を、ＵＥ１００−１とペアをなすペアＵＥとして選出する。ここで、ＵＥ１００−１はヌルステアリング対象端末に相当し、ＵＥ１００−２はビームフォーミング対象端末に相当する。
【００６０】
しかしながら、ヌルステアリング制御情報と合致するビームフォーミング制御情報をフィードバックするＵＥ１００−２が存在しない場合には、ｅＮＢ２００−２は、ＵＥ１００−１とペアをなすペアＵＥを選出できない。
【００６１】
この場合、ｅＮＢ２００−２が、フィードバックされるヌルステアリング制御情報を基に、代わりのヌルステアリング制御情報を推定し、推定したヌルステアリング制御情報と合致するビームフォーミング制御情報をフィードバックするＵＥ１００−２をペアＵＥとして選出することが考えられる。
【００６２】
しかしながら、基となるヌルステアリング制御情報がどのような方法で導出されているのかが分からないと、代わりのヌルステアリング制御情報を推定する際に、誤った推定を行う危険性がある。そこで、実施形態では、以下の方法により、ｅＮＢ２００−２が代わりのヌルステアリング制御情報を適切に推定できるようにする。
【００６３】
図８は、実施形態に係る通信制御方法を説明するための図である。
【００６４】
図８に示すように、実施形態に係る通信制御方法は、ＵＥ１００−１が、導出能力通知情報をｅＮＢ２００−１に送信するステップと、ＵＥ１００−１が、ｅＮＢ２００−２からＵＥ１００−２への送信においてＵＥ１００−１にヌルを向けるためのヌルステアリング制御情報を、ｅＮＢ２００−１にフィードバックするステップと、を含む。導出能力通知情報は、ＵＥ１００−１がヌルステアリング制御情報を導出する能力に関する情報である。
【００６５】
これにより、Ｅ−ＵＴＲＡＮ１０（ｅＮＢ２００−１、ｅＮＢ２００−２）は、ＵＥ１００−１においてヌルステアリング制御情報がどのような方法で導出されているのかを把握可能になるため、代わりのヌルステアリング制御情報を推定する際に、誤った推定を行うことを防止できる。よって、ペアＵＥを適切に選出できる。
【００６６】
実施形態では、導出能力通知情報は、ＵＥ１００−１がヌルステアリング制御情報をどのような方法で導出可能かを示す情報、すなわち、ＵＥ１００−１がサポートする導出方法を示す情報である。ここで、ヌルステアリング制御情報の導出方法（以下、単に「導出方法」という）としては、例えば次の方法がある。第１の導出方法は、受信ウェイトを用いて干渉波をキャンセル可能なＵＥ１００において、受信ウェイトを適用した場合に想定される干渉レベルが最小となるＰＭＩをＢＣＩ（ヌルステアリング制御情報）として導出する方法である。第２の導出方法は、受信ウェイトを用いて干渉波をキャンセル不能なＵＥ１００において、受信ウェイトを考慮せずに想定される干渉レベルが最小となるＰＭＩをＢＣＩ（ヌルステアリング制御情報）として導出する方法である。
【００６７】
実施形態に係る通信制御方法は、ｅＮＢ２００−１が、導出能力通知情報に基づいて、導出方法を指定するための導出方法設定情報をＵＥ１００−１に送信するステップをさらに含む。ヌルステアリング制御情報をフィードバックするステップにおいて、ＵＥ１００−１は、導出方法設定情報に従ってヌルステアリング制御情報をｅＮＢ２００−１にフィードバックする。
【００６８】
これにより、ＵＥ１００−１が複数の導出方法をサポートする場合であっても、１つの導出方法をｅＮＢ２００−１からＵＥ１００−１に対して指定できる。
【００６９】
実施形態では、通信制御方法は、ＵＥ１００−１が、導出能力通知情報の送信要求をｅＮＢ２００−１から受信するステップをさらに含む。導出能力通知情報を送信するステップにおいて、ＵＥ１００−１は、ｅＮＢ２００−１から送信要求を受信したことに応じて、導出能力通知情報をｅＮＢ２００−１に送信する。
【００７０】
これにより、ｅＮＢ２００−１は、導出能力通知情報を必要とする場合に、ＵＥ１００−１から導出能力通知情報を取得できる。
【００７１】
実施形態では、導出能力通知情報を送信するステップにおいて、ＵＥ１００−１は、導出能力通知情報をｅＮＢ２００−１に送信する。実施形態に係る通信制御方法は、ｅＮＢ２００−１が、ＵＥ１００−１における導出方法に関する導出方法通知情報をｅＮＢ２００−２に送信するステップをさらに含む。
【００７２】
これにより、ｅＮＢ２００−２は、ＵＥ１００−１における導出方法を把握できる。
【００７３】
実施形態に係る通信制御方法は、ｅＮＢ２００−１が、導出方法通知情報の送信要求をｅＮＢ２００−２から受信するステップをさらに含む。導出方法通知情報を送信するステップにおいて、ｅＮＢ２００−１は、ｅＮＢ２００−２から送信要求を受信したことに応じて、導出方法通知情報をｅＮＢ２００−２に送信する。
【００７４】
これにより、ｅＮＢ２００−２は、導出方法通知情報を必要とする場合に、ｅＮＢ２００−１から導出方法通知情報を取得できる。
【００７５】
実施形態に係る通信制御方法は、ｅＮＢ２００−２が、ＵＥ１００−２からフィードバックされるビームフォーミング制御情報と、ＵＥ１００−１からフィードバックされるヌルステアリング制御情報と、に基づいて、ＵＥ１００−１とペアをなすペアＵＥをＵＥ１００−２の中から選出するステップをさらに含む。ペアＵＥを選出するステップにおいて、ｅＮＢ２００−２は、ヌルステアリング制御情報と合致するビームフォーミング制御情報をフィードバックするＵＥ１００−２をペアＵＥとして選出する。ペアＵＥを選出するステップにおいて、ｅＮＢ２００−２は、ヌルステアリング制御情報と合致するビームフォーミング制御情報をフィードバックするＵＥ１００−２が存在しない場合には、導出方法通知情報に基づいて代わりのヌルステアリング制御情報を推定し、推定したヌルステアリング制御情報と合致するビームフォーミング制御情報をフィードバックするＵＥ１００−２をペアＵＥとして選出する。
【００７６】
これにより、ｅＮＢ２００−２は、ヌルステアリング制御情報と合致するビームフォーミング制御情報をフィードバックするＵＥ１００−２が存在しない場合であっても、ＵＥ１００−１とペアをなすペアＵＥを適切に選出できる。
【００７７】
なお、ｅＮＢ２００−２において代わりのヌルステアリング制御情報を推定する方法としては、例えば次の方法がある。
【００７８】
第１に、受信ウェイトを考慮したＢＣＩ（第１の導出方法）の場合には、フィードバックされた各レイヤのプリコーダのうちの部分集合となるヌルステアリング制御情報を用いる。例えば、各レイヤのプリコーダがw1,w2,w3である(w1, w2, w3)というＢＣＩに対して、(w1, w3)や(w2)といったものを推定して使用する。この場合、ランク数が減少する。
【００７９】
第２に、受信ウェイトを考慮しないＢＣＩ（第２の導出方法）の場合には、フィードバックされた各レイヤのプリコーダを含むヌルステアリング制御情報を用いる。例えば、各レイヤのプリコーダがw1,w2である(w1, w2)というBCIに対して、(w1, w2, w3)を推定して使用する。この場合、ランク数が増大する。
【００８０】
（２）動作シーケンス
次に、実施形態に係る動作パターン１及び２について説明する。
【００８１】
（２．１）動作パターン１
図９は、実施形態に係る動作パターン１のシーケンス図である。
【００８２】
図９に示すように、ステップＳ１００において、ＵＥ１００−１は、ＵＥ１００−１がサポートする導出方法を示す導出能力通知情報をｅＮＢ２００−１に送信する。ＵＥ１００−１が複数の導出方法をサポートする場合、導出能力通知情報は、当該複数の導出方法の一覧であってもよい。
【００８３】
ＵＥ１００−１は、ｅＮＢ２００−１との接続を確立する際に導出能力通知情報をｅＮＢ２００−１に送信する。或いは、ＵＥ１００−１は、ｅＮＢ２００−１からの送信要求を受信したことに応じて導出能力通知情報をｅＮＢ２００−１に送信してもよい。ＵＥ１００−１は、ＣＢ−ＣｏＭＰの開始通知をｅＮＢ２００−１から受信したことに応じて導出能力通知情報をｅＮＢ２００−１に送信してもよい。
【００８４】
ステップＳ１０１において、導出能力通知情報を受信したｅＮＢ２００−１は、導出能力通知情報に基づいて、導出方法を指定するための導出方法設定情報をＵＥ１００−１に送信する。例えば、ｅＮＢ２００−１は、導出能力通知情報に含まれる導出方法の中から何れかの導出方法を選択し、選択した導出方法を示す情報を導出方法設定情報としてＵＥ１００−１に送信する。
【００８５】
ステップＳ１０２において、導出方法設定情報を受信したＵＥ１００−１は、導出方法設定情報が示す導出方法を設定する。以降、ＵＥ１００−１は、設定した導出方法に従ってヌルステアリング制御情報（ＢＣＩ）を導出する。
【００８６】
ステップＳ１０３において、ＵＥ１００−１は、ヌルステアリング制御情報をｅＮＢ２００−１に送信する。
【００８７】
ステップＳ１０４において、ｅＮＢ２００−１は、ＵＥ１００−１における導出方法に関する導出方法通知情報をｅＮＢ２００−２に送信する。動作パターン１では、ｅＮＢ２００−１は、ＵＥ１００−１に指定した導出方法を示す情報を導出方法通知情報としてｅＮＢ２００−２に送信する。導出方法通知情報は、ＵＥ１００−１の識別子（ＵＥ識別子）を含む。
【００８８】
ｅＮＢ２００−１は、ＵＥ１００−１から受信したヌルステアリング制御情報をｅＮＢ２００−２に転送する前に、導出方法通知情報をｅＮＢ２００−２に送信する。或いは、ｅＮＢ２００−１は、ＣＢ−ＣｏＭＰを開始する前に、導出方法通知情報をｅＮＢ２００−２に送信してもよい。
【００８９】
ステップＳ１０５において、ｅＮＢ２００−１は、ＵＥ１００−１から受信したヌルステアリング制御情報をｅＮＢ２００−２に転送する。その際、ｅＮＢ２００−１は、ＵＥ１００−１の識別子（ＵＥ識別子）をヌルステアリング制御情報に付加した上で、ヌルステアリング制御情報をｅＮＢ２００−２に転送する。
【００９０】
ステップＳ１０６において、ＵＥ１００−１は、ヌルステアリング制御情報をｅＮＢ２００−１に送信する。
【００９１】
ステップＳ１０７において、ｅＮＢ２００−１は、ＵＥ１００−１から受信したヌルステアリング制御情報をｅＮＢ２００−２に転送する。その際、ｅＮＢ２００−１は、ＵＥ１００−１の識別子（ＵＥ識別子）をヌルステアリング制御情報に付加した上で、ヌルステアリング制御情報をｅＮＢ２００−２に転送する。
【００９２】
（２．２）動作パターン２
図１０は、実施形態に係る動作パターン２のシーケンス図である。
【００９３】
図１０に示すように、ステップＳ２００において、ｅＮＢ２００−１は、ＣＢ−ＣｏＭＰにおいて協調すべき他のｅＮＢ２００（ＣｏＭＰ  Ｓｅｔ）を判定する。例えば、ｅＮＢ２００−１は、ＵＥ１００−１から送信される測定報告に基づいて、ＵＥ１００−１の周辺にあるｅＮＢ２００−２をＣｏＭＰ  Ｓｅｔとして判定する。
【００９４】
ステップＳ２０１において、ｅＮＢ２００−１は、ＣＢ−ＣｏＭＰの対象とするＵＥ１００−１の識別子（ＵＥ識別子）を含んだＣｏＭＰ  Ｓｅｔ通知をｅＮＢ２００−２に送信する。ＣｏＭＰ  Ｓｅｔ通知は、ＣｏＭＰ  Ｓｅｔに加わるよう要求するためのものである。
【００９５】
ステップＳ２０２において、ＣｏＭＰ  Ｓｅｔ通知を受信したｅＮＢ２００−２は、ＵＥ１００−１における導出方法を確認するために、導出方法通知情報の送信要求をｅＮＢ２００−１に送信する。当該送信要求は、ＣＢ−ＣｏＭＰの対象とするＵＥ１００−１の識別子（ＵＥ識別子）を含む。
【００９６】
ステップＳ２０３において、導出方法通知情報の送信要求を受信したｅＮＢ２００−１は、導出能力通知情報の送信要求をＵＥ１００−１に送信する。
【００９７】
ステップＳ２０４において、導出能力通知情報の送信要求を受信したＵＥ１００−１は、ＵＥ１００−１がサポートする導出方法を示す導出能力通知情報をｅＮＢ２００−１に送信する。ＵＥ１００−１が複数の導出方法をサポートする場合、導出能力通知情報は、当該複数の導出方法の一覧であってもよい。
【００９８】
ステップＳ２０５において、導出能力通知情報を受信したｅＮＢ２００−１は、導出能力通知情報に基づいて、ＵＥ１００−１における導出方法に関する導出方法通知情報をｅＮＢ２００−２に送信する。動作パターン２では、ｅＮＢ２００−１は、ＵＥ１００−１がサポートする導出方法を示す情報を導出方法通知情報としてｅＮＢ２００−２に送信する。導出方法通知情報は、ＵＥ１００−１の識別子（ＵＥ識別子）を含む。
【００９９】
ステップＳ２０６において、ＵＥ１００−１は、ヌルステアリング制御情報（ＢＣＩ）をｅＮＢ２００−１に送信する。
【０１００】
ステップＳ２０７において、ｅＮＢ２００−１は、ＵＥ１００−１から受信したヌルステアリング制御情報をｅＮＢ２００−２に転送する。その際、ｅＮＢ２００−１は、ＵＥ１００−１の識別子（ＵＥ識別子）をヌルステアリング制御情報に付加した上で、ヌルステアリング制御情報をｅＮＢ２００−２に転送する。
【０１０１】
ステップＳ２０８において、ＵＥ１００−１は、ヌルステアリング制御情報（ＢＣＩ）をｅＮＢ２００−１に送信する。
【０１０２】
ステップＳ２０９において、ｅＮＢ２００−１は、ＵＥ１００−１から受信したヌルステアリング制御情報をｅＮＢ２００−２に転送する。その際、ｅＮＢ２００−１は、ＵＥ１００−１の識別子（ＵＥ識別子）をヌルステアリング制御情報に付加した上で、ヌルステアリング制御情報をｅＮＢ２００−２に転送する。
【０１０３】
図１１は、実施形態に係る動作パターン２におけるｅＮＢ２００−２の動作フロー図である。
【０１０４】
図１１に示すように、ステップＳ１１において、ｅＮＢ２００−２は、ｅＮＢ２００−１からのＣｏＭＰ  Ｓｅｔ通知（ＣｏＭＰ処理要求）を受信する。
【０１０５】
ステップＳ１２において、ｅＮＢ２００−２は、ＣｏＭＰ  Ｓｅｔ通知に含まれるＵＥ識別子に基づいて、ＵＥ１００−１における導出方法を未取得であるか否かを確認する。
【０１０６】
ＵＥ１００−１における導出方法を未取得である場合（ステップＳ１２：Ｙｅｓ）、ステップＳ１３において、ｅＮＢ２００−２は、ＵＥ１００−１における導出方法を確認するために、導出方法通知情報の送信要求をｅＮＢ２００−１（アンカーセル）に送信する。
【０１０７】
［実施形態の変更例］
上述した実施形態では、下りリンク・マルチアンテナ伝送の一形態であるＣＢ−ＣｏＭＰに本発明を適用する一例を説明したが、下りリンク・マルチアンテナ伝送の他の形態であるＭＵ（Ｍｕｌｔｉ  Ｕｓｅｒ）−ＭＩＭＯ（Ｍｕｌｔｉｐｌｅ−Ｉｎｐｕｔ  Ａｎｄ  Ｍｕｌｔｉｐｌｅ−Ｏｕｔｐｕｔ）に本発明を適用してもよい。実施形態の変更例では、本発明をＭＵ−ＭＩＭＯに適用するケースについて説明する。
【０１０８】
図１２及び図１３は、ＭＵ−ＭＩＭＯを説明するための図である。図１２に示すように、ＵＥ１００−１及びＵＥ１００−２のそれぞれは、ｅＮＢ２００のセルとの接続を確立した状態（接続状態）である。すなわち、ＵＥ１００−１及びＵＥ１００−２のそれぞれは、ｅＮＢ２００のセルをサービングセルとして通信を行う。図１２では、ｅＮＢ２００のセルとの接続を確立するＵＥ１００を２つのみ図示しているが、実環境では、３以上のＵＥ１００がｅＮＢ２００のセルとの接続を確立している。
【０１０９】
以下において、ＵＥ１００−１に対してＭＵ−ＭＩＭＯを適用する場合のＭＵ−ＭＩＭＯの通信手順について説明する。ここで、ＵＥ１００−１はヌルステアリング対象端末に相当し、ＵＥ１００−２はビームフォーミング対象端末に相当する。尚、上述した実施形態と重複する説明については省略する。
【０１１０】
ＵＥ１００−１及びＵＥ１００−２のそれぞれは、サービングセルから受信する参照信号などに基づいて、自身に対してビームを向けるためのビームフォーミング制御情報をサービングセルにフィードバックする。ビームフォーミング制御情報は、ＰＭＩ及びＲＩを含む。
【０１１１】
ＵＥ１００−１は、さらに、サービングセルから受信する参照信号などに基づいて、自身に対してヌルを向けるためのヌルステアリング制御情報をサービングセルにフィードバックする。ヌルステアリング制御情報は、ＢＣＩ（Ｂｅｓｔ  Ｃｏｍｐａｎｉｏｎ  ＰＭＩ）及びＲＩを含む。
【０１１２】
ｅＮＢ２００は、自セルと接続する複数のＵＥ１００−２のそれぞれからフィードバックされるビームフォーミング制御情報（ＰＭＩ、ＲＩ）と、自セルと接続するＵＥ１００−１からフィードバックされるヌルステアリング制御情報（ＢＣＩ、ＲＩ）と、を受信する。そして、ｅＮＢ２００は、ヌルステアリング制御情報と合致するビームフォーミング制御情報をフィードバックするＵＥ１００−２を、ＵＥ１００−１とペアをなすペアＵＥ（ペアＵＥ）として選出する。
【０１１３】
ｅＮＢ２００は、ペアＵＥ（ＵＥ１００−２）を選出すると、ＵＥ１００−１に割り当てられる無線リソースと同一の無線リソースをペアＵＥに割り当てる。そして、ｅＮＢ２００は、ペアＵＥからフィードバックされたビームフォーミング制御情報（ＰＭＩ、ＲＩ）を適用してペアＵＥへの送信を行う。その結果、図１３に示すように、ｅＮＢ２００は、ペアＵＥに対してビームを向けつつ、ＵＥ１００−１にヌルを向けて、ペアＵＥへの送信を行うことができる。
【０１１４】
本変更例では、上述した動作パターン１及び２（図９及び図１０参照）において、ｅＮＢ２００−１及びｅＮＢ２００−２をまとめて１つのｅＮＢ２００とみなすことにより、ＭＵ−ＭＩＭＯにおいても、ＵＥ１００−１とペアをなすペアＵＥを適切に選出できる。
【０１１５】
［その他の実施形態］
上述した実施形態では、ＵＥ１００−１が送信するヌルステアリング制御情報は、ｅＮＢ２００−１を介してｅＮＢ２００−２に間接的にフィードバックされていたが、ｅＮＢ２００−１を介さずにｅＮＢ２００−２に直接的にフィードバックされてもよい。
【０１１６】
上述した実施形態及びその変更例では、ヌルステアリング制御情報の一例としてＢＣＩについて説明したが、ＢＣＩに代えてＷＣＩ（Ｗｏｒｓｔ  Ｃｏｍｐａｎｉｏｎ  ＰＭＩ）を使用してもよい。ＷＣＩは、干渉源からの干渉レベルが高くなるプリコーダ行列を示すインジケータである。ｅＮＢ２００は、複数のＵＥ１００−２のそれぞれからフィードバックされるビームフォーミング制御情報（ＰＭＩ、ＲＩ）と、ＵＥ１００−１からフィードバックされるヌルステアリング制御情報（ＷＣＩ、ＲＩ）と、を受信する。そして、ｅＮＢ２００は、ヌルステアリング制御情報と合致するビームフォーミング制御情報をフィードバックするＵＥ１００−２を、ＵＥ１００−１とペアをなすペアＵＥ（ペア端末）として選出する。この場合、ヌルステアリング制御情報と合致するビームフォーミング制御情報とは、ヌルステアリング制御情報に含まれるＷＣＩと一致しないＰＭＩを含む、又は、ヌルステアリング制御情報に含まれるＲＩと一致するＲＩを含むビームフォーミング制御情報である。
【０１１７】
上述した実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１１８】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015012399.tif 000003
【図２】
2015012399.tif 000004
【図３】
2015012399.tif 000005
【図４】
2015012399.tif 000006
【図５】
2015012399.tif 000007
【図６】
2015012399.tif 000008
【図７】
2015012399.tif 000009
【図８】
2015012399.tif 000010
【図９】
2015012399.tif 000011
【図１０】
2015012399.tif 000012
【図１１】
2015012399.tif 000013
【図１２】
2015012399.tif 000014
【図１３】
2015012399.tif 000015